(57)【要約】【課題】無線ネットワークによって構築されたアドホックネットワークにデバイスを接続する場合、該アドホックネットワークよりも狭い通信エリアを持つ近距離無線通信を使用し、自動で接続許可を得る通信システムにおいて、セキュリティを向上させる。【解決手段】通信装置は、第１の通信範囲内で通信可能な第１の通信方式を用いて無線通信を行う第１の通信部と、第２の通信範囲内で通信可能な第２の通信方式を用いて無線通信を行う第２の通信部と、第１の通信方式によって通信を行うことを許可する通信許可情報を生成する認可処理部とを有し、第２の通信部は、第１の通信方式による通信を確立するための設定情報を受信し、第１の通信部は、設定情報及び通信許可情報を受信した他の通信装置との間で前記第１の通信方式を用いて無線通信を行う。【選択図】図６
2016158102.tif 000002
【特許請求の範囲】
【請求項１】
第１の通信範囲内で通信可能な第１の通信方式を用いて無線通信を行う第１の通信部と、
第２の通信範囲内で通信可能な第２の通信方式を用いて無線通信を行う第２の通信部と、
前記第１の通信方式によって通信を行うことを許可する通信許可情報を生成する認可処理部と
を有し、
前記第２の通信部は、前記第１の通信方式による通信を確立するための設定情報を受信し、
前記第１の通信部は、前記設定情報及び前記通信許可情報を受信した他の通信装置との間で前記第１の通信方式を用いて無線通信を行う、通信装置。
【請求項２】
前記第２の通信範囲は、前記第１の通信範囲に包含される、請求項１に記載の通信装置。
【請求項３】
前記第２の通信部は、前記認可処理部によって生成された前記通信許可情報を送信する、請求項１又は２に記載の通信装置。
【請求項４】
前記第１の通信方式によって通信を行うことを許可する通信許可情報を生成する権限を他の通信装置に移行する認可移行部
を有する、請求項１ないし３のいずれか１項に記載の通信装置。
【請求項５】
前記認可移行部は、ユーザ操作により前記通信許可情報を生成する権限を他の通信装置に移行することを特徴とする請求項４に記載の通信装置。
【請求項６】
前記認可移行部は、前記通信許可情報を生成する権限を他の通信装置に移行するか否かを事前設定することを特徴とする請求項４に記載の通信装置。
【請求項７】
前記認可移行部は、前記第１の通信部による無線通信が切断された場合に、前記通信許可情報を生成する権限を他の通信装置に移行することを特徴とする請求項４ないし６のいずれか１項に記載の通信装置。
【請求項８】
第１の通信装置および第２の通信装置とを有する通信システムであって、
前記第１の通信装置は、
第１の通信範囲内で通信可能な第１の通信方式を用いて無線通信を行う第１の通信部と、
第２の通信範囲内で通信可能な第２の通信方式を用いて無線通信を行う第２の通信部と、
前記第１の通信方式によって通信を行うことを許可する通信許可情報を生成する認可処理部と
を有し、
前記第２の通信部は、前記第１の通信方式による通信を確立するための設定情報を受信し、
前記第１の通信部は、前記設定情報及び前記通信許可情報を受信した前記第２の通信装置との間で前記第１の通信方式を用いて無線通信を行い、
前記第２の通信装置は、
前記第１の通信範囲内で通信可能な第１の通信方式を用いて無線通信を行う第３の通信部と、
前記第２の通信範囲内で通信可能な第２の通信方式を用いて無線通信を行う第４の通信部と
を有し、
前記第４の通信部は、前記第１の通信方式による通信を確立するための設定情報を受信し、
前記第３の通信部は、前記設定情報及び前記通信許可情報を受信した場合に、前記第１の通信方式を用いて無線通信を行う、通信システム。
【請求項９】
第１の通信範囲内で通信可能な第１の通信方式を用いて無線通信を行う第１の通信部と、
第２の通信範囲内で通信可能な第２の通信方式を用いて無線通信を行う第２の通信部と
を有する通信装置によって実行される通信方法であって、
前記第１の通信方式によって通信を行うことを許可する通信許可情報を生成し、
前記第２の通信部によって前記第１の通信方式による通信を確立するための設定情報を受信し、
前記第１の通信部によって前記設定情報及び前記通信許可情報を受信した他の通信装置との間で前記第１の通信方式を用いて無線通信を行う、通信方法。
【発明の詳細な説明】
【技術分野】
【０００１】
本発明は、通信システムに関する。
【背景技術】
【０００２】
無線ＬＡＮなどの無線ネットワークによって構築されたアドホックネットワークにデバイスを接続する場合、該アドホックネットワークよりも狭い通信エリアを持つ近距離無線通信を使用し、自動で接続許可を得るための認証を行う技術が知られている。
【０００３】
デバイス間で通信確立を行う技術に関して、既に無線ネットワークに参加しているデバイスが近接通信を介して許可を与える技術が知られている（例えば、特許文献１参照）。
【発明の概要】
【発明が解決しようとする課題】
【０００４】
デバイスが近距離無線通信の通信エリアに位置する場合には、壁などの遮蔽物により視認できない場合でも、該デバイスに対して自動的に接続許可が与えられる場合があるため、セキュリティ上問題がある。
【０００５】
本発明は、無線ネットワークによって構築されたアドホックネットワークにデバイスを接続する場合、該アドホックネットワークよりも狭い通信エリアを持つ近距離無線通信を使用し、自動で接続許可を得る通信システムにおいて、セキュリティを向上させることを目的とする。
【課題を解決するための手段】
【０００６】
開示の一実施例の通信装置は、
第１の通信範囲内で通信可能な第１の通信方式を用いて無線通信を行う第１の通信部と、
第２の通信範囲内で通信可能な第２の通信方式を用いて無線通信を行う第２の通信部と、
前記第１の通信方式によって通信を行うことを許可する通信許可情報を生成する認可処理部と
を有し、
前記第２の通信部は、前記第１の通信方式による通信を確立するための設定情報を受信し、
前記第１の通信部は、前記設定情報及び前記通信許可情報を受信した他の通信装置との間で前記第１の通信方式を用いて無線通信を行う。
【発明の効果】
【０００７】
開示の実施例によれば、無線ネットワークによって構築されたアドホックネットワークにデバイスを接続する場合、該アドホックネットワークよりも狭い通信エリアを持つ近距離無線通信を使用し、自動で接続許可を得る通信システムにおいて、セキュリティを向上させることができる。
【図面の簡単な説明】
【０００８】
【図１】一実施の形態に係る無線通信システムの構成例を示す図である。
【図２】一実施の形態に係る第１の無線通信装置、および第２の無線通信装置のハードウェア構成例を示す図である。
【図３】一実施の形態に係る第３の無線通信装置のハードウェア構成例を示す図である。
【図４】一実施の形態に係る無線通信システムの動作を示すシーケンスチャートである。
【図５】一実施の形態に係る無線通信システムの動作を示すシーケンスチャートである。
【図６】一実施の形態に係る無線通信システムを示す機能ブロック図である。
【図７】一実施の形態に係る無線通信システムの動作（その１）を示すフローチャートである。
【図８】一実施の形態に係る無線通信システムの動作（その２）を示すフローチャートである。
【図９】一実施の形態に係る無線通信システムの動作（その３）を示すフローチャートである。
【図１０】一実施の形態に係る無線通信システムの動作（その４）を示すフローチャートである。
【図１１】一実施の形態に係る無線通信システムの動作（その５）を示すフローチャートである。
【発明を実施するための形態】
【０００９】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１０】
＜概要＞
＜無線通信システム＞
本実施の形態に係る無線通信システムは、無線ＬＡＮ(Local Area Network)などの第1の無線通信方式によって通信を行う第1の無線通信エリア内に、無線ＰＡＮ(Personal Area Network)などの第２の無線通信方式によって第1の無線通信エリアよりも狭い第２の無線通信エリアの無線ネットワークを形成する。無線ＬＡＮおよび無線ＰＡＮに対応するデバイスは、無線ＰＡＮに進入した際に、無線ＰＡＮから送信される無線ＬＡＮに設定されている認証情報、設定情報などのセットアップ情報を取得する。該デバイスは、無線ＰＡＮから取得した認証情報、設定情報などのセットアップ情報を使用して、無線ＬＡＮに接続する。また、デバイスは、無線ＰＡＮから退出した際に、無線ＬＡＮとの間の通信を切断する処理を行う。つまり、デバイスは、無線ＬＡＮの第1の無線通信エリアのうち、無線ＰＡＮの第２の無線通信エリアと重複する限定した無線通信エリアで、無線ＬＡＮを介した通信ができる。
【００１１】
図１は、本実施の形態に係る無線通信システムを示す。本実施の形態に係る無線通信システムは、第１の無線通信装置１００と、第２の無線通信装置２００と、第３の無線通信装置３００ａ−３００ｃとを有する。以下、第３の無線通信装置３００ａ−３００ｃのうち任意の第３の無線通信装置は、「第３の無線通信装置３００」と表す。
【００１２】
第１の無線通信装置１００は、アクセスポイント、無線基地局などに搭載でき、無線ＬＡＮなどの第１の無線通信方式によって第１の無線通信エリア１５０を形成する。第２の無線通信装置２００は、アクセスポイント、無線基地局などに搭載でき、第１の無線通信エリア１５０内に、ブルートゥース（登録商標）などの近距離無線通信などの第２の無線通信方式によって該第１の無線通信エリア１５０よりも狭い第２の無線通信エリア２５０を形成する。図１に示される例では、第２の無線通信エリア２５０は、第１の無線通信エリア１５０に包含される。
【００１３】
第３の無線通信装置３００は、スマートフォン、タブレット端末、携帯ゲーム機、ノード型ＰＣなどの携帯可能な通信装置に搭載でき、第１の無線通信装置１００、及び第２の無線通信装置２００との間で無線通信ができる。ただし、第３の無線通信装置３００ａ−３００ｃは、第１の無線通信エリア１５０と第２の無線通信エリア２５０の重複する重複エリアに位置する場合に、第２の無線通信装置２００によって送信される第１の無線通信装置１００と接続する際に使用する認証情報、設定情報などのセットアップ情報を取得できる。セットアップ情報を取得した第３の無線通信装置３００ａ−３００ｃは、該セットアップ情報を使用して第１の無線通信装置１００との間で接続処理を行うことができる。
【００１４】
図１に示される例では、第２の無線通信エリア２５０は、第１の無線通信エリア１５０に包含されるため、重複エリアは第２の無線通信エリア２５０と同じエリアである。第３の無線通信装置３００ａ、および３００ｂは、重複エリアに位置するため、第２の無線通信装置２００によって送信されるセットアップ情報を取得でき、該セットアップ情報を使用して第１の無線通信装置１００との間で接続処理を行うことができる。第３の無線通信装置３００ｃは、第１の無線通信エリアに位置するが重複エリアに位置しないため、第２の無線通信装置２００によって送信されるセットアップ情報を取得できず、第１の無線通信装置１００との間で接続処理を行うことができない。
【００１５】
以下、一例として、第１の無線通信方式に無線ＬＡＮを適用し、第２の無線通信方式にブルートゥース(登録商標)を適用した場合について説明する。第２の無線通信方式に、非接触無線(NFC: Near  Field  Communications)、超音波通信等を適用するようにしてもよい。また、無線通信装置３００は、ＱＲコード（登録商標）を利用して、セットアップ情報を取得するようにしてもよい。
【００１６】
＜実施の形態のハードウェア構成＞
次に、本実施の形態のハードウェア構成を説明する。図２は、本実施の形態に係る第１の無線通信装置１００、および第２の無線通信装置２００のハードウェア構成例を示す。図２に示されているように、本実施の形態の第１の無線通信装置１００は、第１の無線通信方式の規格にしたがってアンテナを介して無線信号を送受信する第１の通信回路１０２と、第１の無線通信装置１００全体の動作を制御する第１のＣＰＵ(Central Processing Unit)１０４とを備える。また、第１の無線通信装置１００は、第１のＣＰＵ１０４の駆動に用いられる第１の無線通信装置用プログラム、送信データ等の各種データを記憶した第１のＲＯＭ(Read Only Memory)１０６を備える。また、第１の無線通信装置１００は、通信ネットワーク２を介してデータ伝送をするための第１のＩ／Ｆ(Interface)１０８と、第１の無線通信装置１００を第１の無線通信方式のアクセスポイントとして動作させる第１の通信制御部１１０とを備える。第１の通信回路１０２、第１のＣＰＵ１０４、第１のＲＯＭ１０６、第１のＩ／Ｆ１０８、および第１の通信制御部１１０は第１のバス１４０によって接続される。第１の無線通信装置用プログラムは、インストール可能な形式又は実行可能な形式のファイルで、記録メディア等の、コンピュータで読み取り可能な記録媒体に記録して流通させるようにしてもよい。
【００１７】
本実施の形態の第２の無線通信装置２００は、第２の無線通信方式の規格にしたがってアンテナを介して無線信号を送受信する第２の通信回路２０２と、第２の無線通信装置２００全体の動作を制御する第２のＣＰＵ２０４とを備える。また、第２の無線通信装置２００は、第２のＣＰＵ２０４の駆動に用いられる第２の無線通信装置用プログラム、送信データ等の各種データを記憶した第２のＲＯＭ２０６を備える。また、第２の無線通信装置２００は、通信ネットワーク２を介してデータ伝送をするための第２のＩ／Ｆ２０８と、第２の無線通信装置２００を第２の無線通信方式のアクセスポイントとして動作させる第２の通信制御部２１０とを備える。第２の通信回路２０２、第２のＣＰＵ２０４、第２のＲＯＭ２０６、第２のＩ／Ｆ２０８、および第２の通信制御部２１０は第２のバス２４０によって接続される。第２の無線通信装置用プログラムは、インストール可能な形式又は実行可能な形式のファイルで、記録メディア等の、コンピュータで読み取り可能な記録媒体に記録して流通させるようにしてもよい。
【００１８】
ここで、第１の無線通信装置１００、および第２の無線通信装置２００を一台の無線通信装置として構成することもできる。この場合、第１のＩ／Ｆ１０８と第２のＩ／Ｆ２０８は通信ネットワーク２を介さずに直接接続された構成となる。
【００１９】
図３は、本実施の形態に係る第３の無線通信装置３００のハードウェア構成例を示す。図３に示されているように、本実施の形態の第３の無線通信装置３００は、第１の無線通信方式の規格にしたがって無線通信を行う第１の無線通信部３０２と、第２の無線通信方式の規格にしたがって無線通信を行う第２の無線通信部３１２とを有する。
【００２０】
第１の無線通信部３０２は、第１の無線通信方式の規格にしたがってアンテナを介して無線信号を送受信する第３の通信回路３０４と、第１の無線通信部３０２全体の動作を制御する第３のＣＰＵ３０６とを備える。また、第１の無線通信部３０２は、第３のＣＰＵ３０６の駆動に用いられる第１の無線通信部用プログラム、送信データ等の各種データを記憶した第３のＲＯＭ３０８と、第２の無線通信部３１２との間でデータ伝送をするための第３のＩ／Ｆ３１０とを備える。第３の通信回路３０４、第３のＣＰＵ３０６、第３のＲＯＭ３０８、および第３のＩ／Ｆ３１０は第３のバス３５０によって接続される。第１の無線通信部用プログラムは、インストール可能な形式又は実行可能な形式のファイルで、記録メディアなどのコンピュータで読み取り可能な記録媒体に記録して流通させるようにしてもよい。
【００２１】
第２の無線通信部３１２は、第２の無線通信方式の規格にしたがってアンテナを介して無線信号を送受信する第４の通信回路３１４と、第２の無線通信部３１２全体の動作を制御する第４のＣＰＵ３１６とを備える。また、第２の無線通信部３１２は、第４のＣＰＵ３１６の駆動に用いられる第２の無線通信部用プログラム、送信データ等の各種データを記憶した第４のＲＯＭ３１８と、第１の無線通信部３０２との間でデータ伝送をするための第４のＩ／Ｆ３２０とを備える。第４の通信回路３１４、第４のＣＰＵ３１６、第４のＲＯＭ３１８、および第４のＩ／Ｆ３２０は第４のバス３５２によって接続される。また、第３のＩ／Ｆ３１０と第４のＩ／Ｆ３２０との間は、バス３５４によって接続される。第２の無線通信部用プログラムは、インストール可能な形式又は実行可能な形式のファイルで、記録メディア等の、コンピュータで読み取り可能な記録媒体に記録して流通させるようにしてもよい。
【００２２】
＜無線通信システムの動作（その１）＞
図４は、本実施の形態に係る無線通信システムにおける接続処理を示す。図４に示される例では、第３の無線通信装置３００ａが、第１の無線通信装置１００との間で接続処理を行うことによって通信を確立する。第３の無線通信装置３００ｂが、第１の無線通信装置１００との間で接続処理を行う場合についても適用できる。
【００２３】
ステップＳ１では、第２の無線通信エリア２５０を形成する第２の無線通信装置２００は、第３の無線通信装置３００ａに、第２の無線通信エリア２５０を示す通信範囲情報を送信する。例えば、第２の無線通信装置２００は、３つのアドバタイズメントチャネルを介してアドバタイズメントパケットを送信することで、周辺機器に対して自機の存在を知らせている。アドバタイズメントパケットには、第２の無線通信エリア２５０を示す通信範囲情報が含まれている。
【００２４】
ステップＳ２では、第３の無線通信装置３００ａは、第２の無線通信装置２００によって送信される通信範囲情報を受信し、該通信範囲情報に対する応答信号を第２の無線通信装置２００に送信する。第３の無線通信装置３００ａは、通信範囲情報を参照することで、第２の無線通信エリア２５０内に位置していることを認識する。
【００２５】
ステップＳ３では、第２の無線通信装置２００は、第３の無線通信装置３００ａによって送信される応答信号を受信すると、第３の無線通信装置３００ａとの間で、ペアリング処理を行う。これにより、第２の無線通信装置２００と第３の無線通信装置３００ａとの間で、第２の無線通信方式によって通信を行うことが可能となる。第２の無線通信装置２００は、第１の無線通信エリア１５０を形成する第１の無線通信装置１００と接続する際に使用するセットアップ情報を第３の無線通信装置３００ａに送信する。例えば、第２の無線通信装置２００は、Ｗｉ−Ｆｉアライアンスで規格化された無線ＬＡＮ接続を容易化するＷＰＳ方式のＰＩＮコード（固有識別情報）などのセットアップ情報を、第２の無線通信方式によって、第３の無線通信装置３００ａに送信する。
【００２６】
ステップＳ４では、第３の無線通信装置３００ａは、第２の無線通信装置２００によって送信されるセットアップ情報を受信すると、該セットアップ情報を使用して、セットアップを指示するセットアップ指示信号を第１の無線通信装置１００に送信する。
【００２７】
ステップＳ５では、第１の無線通信装置１００は、第３の無線通信装置３００ａによって送信されるセットアップ指示信号を受信すると、通信セットアップを行う。ステップＳ６では、第３の無線通信装置３００ａは、通信セットアップを行う。これにより、第１の無線通信エリアと第２の無線通信エリアとが重複する重複エリアにおいて、第３の無線通信装置３００ａと、第１の無線通信装置１００との間で第１の無線通信方式にしたがって通信が確立される。
【００２８】
このように、本実施の形態の無線通信システムでは、第１の無線通信装置１００によって形成される第１の無線通信エリア１５０と、第２の無線通信装置２００によって形成される第２の無線通信エリア２５０の重複エリアに位置する第３の無線通信装置３００は、第２の無線通信装置２００によって送信されるセットアップ情報を取得できる。そして、該第３の無線通信装置３００は該セットアップ情報によって、第１の無線通信装置１００との間でセットアップを行うことができる。これによって、第３の無線通信装置３００は、第１の無線通信装置１００を介して、他の第３の無線通信装置３００との間で通信を行うことができる。
【００２９】
ここで、第１の無線通信装置１００、および第２の無線通信装置２００を一台の無線通信装置として構成した場合、第２の無線通信装置２００から第１の無線通信装置１００にセットアップ指示信号が送信される。
【００３０】
＜無線通信システムの動作（その２）＞
図５は、本実施の形態に係る無線通信システムにおける切断処理を示す。図５に示される例では、第３の無線通信装置３００ａが、第２の無線通信エリア２５０の外に移動した際に、第３の無線通信装置３００ａと第１の無線通信装置１００との間に確立された通信が切断される。図５に示される例では、第３の無線通信装置３００ｂが、第２の無線通信エリア２５０の外に移動した際に、第３の無線通信装置３００ｂと第１の無線通信装置１００との間に確立された通信が切断される場合についても適用できる。
【００３１】
ステップＳ１１では、第２の無線通信エリア２５０を形成する第２の無線通信装置２００は、第３の無線通信装置３００ａに、第２の無線通信エリア２５０を示す通信範囲情報を所定のタイミングで送信する。
【００３２】
ステップＳ１２では、第３の無線通信装置３００ａ、および第２の無線通信装置２００は、ＧＰＳ（Global Positioning System）などの測位装置を有し、それぞれ自機の現在位置を検出している。第３の無線通信装置３００ａは、第２の無線通信装置２００によって送信された通信範囲情報と、測位装置によって検出した現在位置とを比較することによって、第２の無線通信エリア２５０に現在位置があるか否かを判断する。また、第３の無線通信装置３００ａは、第２の無線通信装置２００によって送信される通信範囲情報の受信信号強度(RSSI: Received Signal Strength Indication)を測定し、該受信信号強度を距離に換算する。そして、第３の無線通信装置３００ａは、第２の無線通信装置２００によって送信された通信範囲情報と、受信信号強度を距離に換算したものとを比較することによって、第２の無線通信エリア２５０に現在位置があるか否かを判断するようにしてもよい。第３の無線通信装置３００ａは、第２の無線通信装置２００に第２の無線通信エリア２５０に現在位置があるか否かを表す情報を付帯した応答信号を送信する。
【００３３】
ステップＳ１３では、第２の無線通信装置２００は、第２の無線通信エリア２５０外に現在位置があることを示す応答信号を、第３の無線通信装置３００ａから受信した場合、第２の無線通信装置２００の通信を切断することを指示する切断指示信号を第３の無線通信装置３００ａに送信する。なお、第２の無線通信装置２００の電波の到達エリアは、第２の無線通信エリア２５０よりも広くなるように設定される。このため、第３の無線通信装置３００ａが、第２の無線通信エリア２５０の外に位置することとなっても、第２の無線通信装置２００によって送信される切断指示信号を受信することができる。
【００３４】
ステップＳ１４では、第３の無線通信装置３００ａは、第２の無線通信装置２００によって送信される切断指示信号を受信すると、第１の無線通信装置１００に通信を切断することを指示する切断指示信号を送信する。ステップＳ１５では、第１の無線通信装置１００は、通信を切断する処理を行う。ステップＳ１６では、第３の無線通信装置３００ａは、通信を切断する処理を行う。これにより、第３の無線通信装置３００ａと、第１の無線通信装置１００との間の通信が切断される。
【００３５】
ここで、第１の無線通信装置１００、および第２の無線通信装置２００を一台の無線通信装置として構成した場合には、第２の無線通信装置２００から第１の無線通信装置１００に、通信の切断指示信号が送信される。
【００３６】
このように本実施の形態に係る無線通信システムでは、第１の無線通信装置１００によって形成される第１の無線通信エリア１５０内で、且つ第２の無線通信エリア２５０内に第３の無線通信装置３００ａ−３００ｂの通信を限定できる。このため、第１の無線通信エリア１５０を形成する第１の無線通信装置１００との間で通信を確立する許可を有しない第３の無線通信装置３００に対して、第２の無線通信エリア２５０に位置する間、第１の無線通信装置１００との間で通信を確立させて使用させることができる。
【００３７】
＜第１の実施の形態＞
本実施の形態に係る無線通信システムは、図１を参照して説明した無線通信システムを適用できる。本実施の形態に係る無線通信システムでは、第２の無線通信エリア２５０に位置し、且つ第１の無線通信装置１００と無線通信を行っている第３の無線通信装置３００のうちの１つは、新たに第２の無線通信エリア２５０に進入した第３の無線通信装置に対して、第１の無線通信装置１００と無線通信を行うことを許可する権限を有する。
【００３８】
以下の説明では、新たに第２の無線通信エリア２５０に進入した第３の無線通信装置に対して、第１の無線通信装置１００と無線通信を行うことを許可する権限を有する第３の無線通信装置は「マスタデバイス」と呼ばれることもある。本実施の形態では、一例として第３の無線通信装置３００ａをマスタデバイスとし、第３の無線通信装置３００ｃが新たに第２の無線通信エリア２５０に進入した場合について説明する。第３の無線通信装置３００ｃは、第３の無線通信装置３００ａによって第１の無線通信装置１００と通信を行うことが許可された場合に、第１の無線通信装置１００との間で通信を確立できる。
【００３９】
なお、マスタデバイスによって新たに第２の無線通信エリア２５０に進入した第３の無線通信装置３００に対して、第１の無線通信装置１００との間で無線通信を行うことを許可することが行われるため、マスタデバイスは最初に第１の無線通信装置１００との間で通信を確立したものとされる。ただし、後述するが、複数の第３の無線通信装置によって第１の無線通信装置との間で通信が確立されている場合には、第１の無線通信装置１００と無線通信を行うことを許可する権限を譲渡することによって移行することもできる。
【００４０】
＜本実施の形態の機能構成＞
図６は本実施の形態に係る第１の無線通信装置１００、第２の無線通信装置２００、および第３の無線通信装置３００の機能ブロック図である。
【００４１】
第１の無線通信装置１００は、第１の送受信部１００２と、第１の接続処理部１００４と、第１の切断処理部１００６と、第１の通信制御部１００８とを有している。これら各部は、図２に示されている第１の無線通信装置１００の各構成要素のいずれかが、第１のＲＯＭ１０６に記憶されている第１の無線通信装置用プログラムにしたがった第１のＣＰＵ１０４からの命令によって動作することで実現される機能又は手段である。
【００４２】
＜第１の無線通信装置１００＞
次に、第１の無線通信装置１００の各部を詳細に説明する。第１の無線通信装置１００の第１の送受信部１００２は、図２に示されている第１の通信回路１０２、及び第１のＣＰＵ１０４からの命令によって実現され、第１の無線通信方式によって第３の無線通信装置３００と各種データ（情報）の送受信を行う。
【００４３】
第１の無線通信装置１００の第１の接続処理部１００４は、図２に示されている第１のＣＰＵ１０４からの命令によって実現され、第３の無線通信装置３００によって送信されるセットアップ情報を使用して、第３の無線通信装置３００との間で第１の無線通信方式に基づいて接続処理を行うことによって通信を確立する。
【００４４】
第１の無線通信装置１００の第１の切断処理部１００６は、図２に示されている第１のＣＰＵ１０４からの命令によって実現され、第３の無線通信装置３００によって送信される切断指示にしたがって、第３の無線通信装置３００との間の通信を切断する。
【００４５】
第１の無線通信装置１００の第１の通信制御部１００８は、図２に示されている第１のＣＰＵ１０４、および第１の通信制御部１１０からの命令によって実現され、第１の接続処理部１００４によって接続処理が行われた第３の無線通信装置３００との間で第１の無線通信方式にしたがって通信制御を行う。
【００４６】
＜第２の無線通信装置２００＞
第２の無線通信装置２００は、第２の送受信部２００２と、第２の接続処理部２００４と、第２の切断処理部２００６と、第２の通信制御部２００８と、記憶・読出処理部２０１０と、記憶部２０１２とを有している。これら各部は、図２に示されている第２の無線通信装置２００の各構成要素のいずれかが、第２のＲＯＭ２０６に記憶されている第２の無線通信装置用プログラムにしたがった第２のＣＰＵ２０４からの命令によって動作することで実現される機能又は手段である。
【００４７】
（セットアップ情報管理テーブル）
記憶部２０１２には、表１に示されているようなセットアップ情報管理テーブルによって構成されているセットアップ情報管理ＤＢ２０１４が構築されている。
【００４８】
【表１】
2016158102.tif 000003
セットアップ情報管理テーブルは、第３の無線通信装置３００が第１の無線通信装置１００との間で第１の無線通信方式によって接続する際に使用するＳＳＩＤ(Service Set Identifier)、セキュリティ方式、パスワードなどのネットワークの情報、ＩＰアドレス、ポート番号などのアドレス情報などの接続情報を紐付けることによって対応付けたものである。ＳＳＩＤは無線ＬＡＮの識別情報であり、セキュリティ方式はＷＥＰ、ＷＰＡ、ＷＰＡ２、ＷＰＡ２−ＴＫＩＰ、ＡＥＳなどの暗号化方式の規格によって表される。
【００４９】
（第３の無線通信装置管理テーブル）
記憶部２０１２には、表２に示されているような第３の無線通信装置管理テーブルによって構成されている第３の無線通信装置管理ＤＢ２０１６が構築されている。
【００５０】
【表２】
2016158102.tif 000004
第３の無線通信装置管理テーブルは、第３の無線通信装置３００の第２の無線通信方式におけるアドレスと、第３の無線通信装置３００の種別と、第３の無線通信装置３００のＩＰアドレスと、通信許可権限の有無を紐付けることによって対応付けたものである。第３の無線通信装置３００の第２の無線通信方式におけるアドレスは、第２の無線通信方式によって第３の無線通信装置３００が発見される際に取得され、第２の無線通信方式によって行われる通信範囲の特定するために使用される。第３の無線通信装置３００の第２の無線通信方式におけるアドレスの一例は、BD_ADDR、BluetoothデバイスアドレスなどのBluetoothアドレスである。第３の無線通信装置３００の種別は、スマートデバイスなどのデバイスの種類を表す。通信許可権限の有無は、新たに第２の無線通信エリアに進入した第３の無線通信装置に対して第１の無線通信装置との間で通信を行うことを許可する権限を有するか否か、換言すればマスタデバイスであるか否かを表す。第２の無線通信装置２００は、第３の無線通信装置管理テーブルに付帯されている情報に基づいて、制御対象を選択する。
【００５１】
＜第２の無線通信装置２００の各機能部＞
次に、第２の無線通信装置２００の各部を詳細に説明する。第２の無線通信装置２００の第２の送受信部２００２は、図２に示されている第２の通信回路２０２、及び第２のＣＰＵ２０４からの命令によって実現され、第２の無線通信方式によって第３の無線通信装置３００と各種データ（情報）の送受信を行う。
【００５２】
第２の無線通信装置２００の第２の接続処理部２００４は、図２に示されている第２のＣＰＵ２０４からの命令によって実現され、第３の無線通信装置３００に送信する通信範囲情報を作成し、第２の送受信部２００２から送信する。また、第２の接続処理部２００４は、該通信範囲情報を受信した第３の無線通信装置３００によって送信される応答信号を受信した場合に、該第３の無線通信装置３００との間で接続処理を行うことによって通信を確立する。また、第２の接続処理部２００４は、第２の無線通信エリア２５０に新たに進入した第３の無線通信装置を検出した場合、マスタデバイスに新たに進入した第３の無線通信装置を検出したことを通知する。第２の接続処理部２００４は、該通知に対して、マスタデバイスから第１の無線通信装置１００との間で通信を行うことを許可する応答を受信した場合、該新たに進入した第３の無線通信装置との間で接続処理を行う。
【００５３】
第２の無線通信装置２００の第２の切断処理部２００６は、図２に示されている第２のＣＰＵ２０４からの命令によって実現される。第２の切断処理部２００６は、第１の無線通信装置１００との間で通信を行っている第３の無線通信装置３００によって送信される応答信号に第２の無線通信エリア２５０外に現在位置があることを示す情報が付帯されている場合、切断指示情報を作成し、第２の送受信部２００２から該第３の無線通信装置３００に送信する。
【００５４】
第２の無線通信装置２００の第２の通信制御部２００８は、図２に示されている第２の通信制御部２１０からの命令によって実現され、第２の接続処理部２００４によって接続処理が行われた第３の無線通信装置３００に、セットアップ情報を送信するなどの通信制御を行う。
【００５５】
第２の無線通信装置２００の記憶・読出処理部２０１０は、図２に示されている第２のＣＰＵ２０４からの命令、並びに一例として図２に示す第２のＲＯＭ２０６によって実現される。記憶・読出処理部２０１０は、記憶部２０１２に各種データを記憶したり、記憶部２０１２に記憶された各種データを読み出す処理を行う。
【００５６】
＜第３の無線通信装置３００＞
第３の無線通信装置３００は、第２の送受信部３００２と、通信範囲判断部３００４と、第２の接続処理部３００６と、セットアップ情報取得部３００８と、第２の切断処理部３０１０と、認可移行部３０１２と、認可処理部３０１４と、第１の送受信部３０１６と、第１の接続処理部３０１８と、第１の切断処理部３０２０と、記憶・読出処理部３０２２と、記憶部３０２４とを有している。これら各部は、図３に示されている第３の無線通信装置３００の各構成要素のいずれかが、第３のＲＯＭ３０６に記憶されている第１の無線通信部用プログラムおよび第４のＲＯＭ３１８に記憶されている第２の無線通信部用プログラムのいずれか一方または両方にしたがった第３のＣＰＵ３０６および第４のＣＰＵ３１６のいずれか一方または両方からの命令によって動作することで実現される機能又は手段である。
【００５７】
（第３の無線通信装置管理テーブル）
記憶部３０２４には、第３の無線通信装置管理テーブルによって構成されている第３の無線通信装置管理ＤＢ３０２６が構築されている。第３の無線通信装置管理テーブルは、上述した表２を適用できる。
【００５８】
＜第３の無線通信装置３００の各機能部＞
次に、第３の無線通信装置３００の各部を詳細に説明する。
【００５９】
第３の無線通信装置３００の第２の送受信部３００２は、図３に示されている第４の通信回路３１４、及び第４のＣＰＵ３１６からの命令によって実現され、第２の無線通信方式によって第２の無線通信装置２００と各種データ（情報）の送受信を行う。
【００６０】
第３の無線通信装置３００の通信範囲判断部３００４は、図３に示されている第４のＣＰＵ３１６からの命令によって実現され、第２の無線通信装置２００によって送信される通信範囲情報と、測位装置によって検出した現在位置とを比較することによって、第２の無線通信エリア２５０に現在位置があるか否かを判断し、第２の無線通信エリア２５０に現在位置があるか否かを表す情報を付帯した応答信号を作成し、第２の送受信部３００２から送信する。
【００６１】
第３の無線通信装置３００の第２の接続処理部３００６は、図３に示されている第４のＣＰＵ３１６からの命令によって実現され、第２の無線通信装置２００との間で、第２の無線通信方式によって接続処理を行う。
【００６２】
第３の無線通信装置３００のセットアップ情報取得部３００８は、図３に示されている第４のＣＰＵ３１６からの命令によって実現され、第２の接続処理部３００６によって接続処理が行われた第２の無線通信装置２００によって送信されるセットアップ情報を第２の送受信部３００２から取得する。
【００６３】
第３の無線通信装置３００の第２の切断処理部３０１０は、図３に示されている第４のＣＰＵ３１６からの命令によって実現される。第２の切断処理部３０１０は、第２の無線通信装置２００との間における第２の無線通信方式による通信を切断する。
【００６４】
第３の無線通信装置３００の認可移行部３０１２は、図３に示されている第４のＣＰＵ３１６からの命令によって実現される。認可移行部３０１２は、自装置がマスタデバイスである場合に、他の第３の無線通信装置３００に通信を許可する権限を譲渡することによって移行する処理を行う。
【００６５】
第３の無線通信装置３００の認可処理部３０１４は、図３に示されている第４のＣＰＵ３１６からの命令によって実現される。認可処理部３０１４は、自装置がマスタデバイスである場合に、新たに第２の無線通信エリア２５０に進入した第３の無線通信装置３００がある場合に、該第３の無線通信装置３００が第１の無線通信装置１００との間で通信を行うことを許可する応答（通信許可情報）を作成し、第２の送受信部３００２から第２の無線通信装置２００に送信する。
【００６６】
第３の無線通信装置３００の第１の送受信部３０１６は、図３に示されている第３の通信回路３０４、及び第３のＣＰＵ３０６からの命令によって実現され、第１の無線通信方式によって第１の無線通信装置１００と各種データ（情報）の送受信を行う。
【００６７】
第３の無線通信装置３００の第１の接続処理部３０１８は、図３に示されている第３のＣＰＵ３０６からの命令によって実現され、第１の無線通信装置１００との間で、第１の無線通信方式によって接続処理を行う。
【００６８】
第３の無線通信装置３００の第１の切断処理部３０２０は、図３に示されている第３のＣＰＵ３０６からの命令によって実現される。第１の切断処理部３０２０は、第１の無線通信装置１００との間における第１の無線通信方式による通信を切断する。
【００６９】
第３の無線通信装置３００の記憶・読出処理部３０２２は、図３に示されている第３のＣＰＵ３０６、および第４のＣＰＵ３１６からの命令、並びに一例として図３に示す第３のＲＯＭ３０８、および第４のＲＯＭ３１８によって実現される。記憶・読出処理部３０２２は、記憶部３０２４に各種データを記憶したり、記憶部３０２４に記憶された各種データを読み出す処理を行う。
【００７０】
＜無線通信システムの動作（その１）＞
図７は、無線通信システムの動作（その１）を示す。図７には、図１に示す無線通信システムにおいて、第２の無線通信エリア２５０の外に位置する第３の無線通信装置３００ｃが第２の無線通信エリア２５０に進入する際の動作を示す。無線通信システムにおいて、第３の無線通信装置３００ａがマスタデバイスとされる。
【００７１】
ステップＳ７０２では、第２の無線通信装置２００の第２の接続処理部２００４は、第２の無線通信エリア２５０に新たに進入した第３の無線通信装置３００があるか否かを判定する。例えば、第２の接続処理部２００４は、新たに進入した第３の無線通信装置３００によって送信される応答が第２の無線通信エリア２５０に現在位置があることを表す情報であるか否かによって、新たに進入した第３の無線通信装置３００があるか否かを判断する。第２の無線通信エリア２５０に新たに進入した第３の無線通信装置３００がない場合、ステップＳ７０２に戻る。
【００７２】
ステップＳ７０４では、第２の無線通信装置２００の第２の接続処理部２００４は、第２の無線通信エリア２５０に新たに進入した第３の無線通信装置３００があると判断した場合、第３の無線通信装置管理ＤＢ２０１６の第３の無線通信装置管理テーブルを参照し、マスタデバイスが第３の無線通信装置３００ａであることを特定する。第２の接続処理部２００４は、第２の無線通信エリア２５０に新たに進入した第３の無線通信装置３００ｃがあることを第３の無線通信装置３００ａに通知する。
【００７３】
ステップＳ７０６では、第２の無線通信装置２００の第２の接続処理部２００４は、第３の無線通信装置３００ａから、第３の無線通信装置３００ｃの通信を許可する通知（通信許可情報）がある否かを判定する。第３の無線通信装置３００ａの認可処理部３０１４は、第２の無線通信装置２００から第２の無線通信エリア２５０に新たに進入した第３の無線通信装置３００ｃがあることの通知が第２の送受信部２００２から入力されると、ＵＩ(User Interface)によってユーザに第３の無線通信装置３００ｃの通信を許可するか否かを選択させる。ユーザは、第３の無線通信装置３００ｃを視認できた場合には通信を許可し、会議室やパーティションの外などにいることによって視認できない場合には通信を拒絶するようにしてもよい。これによって、セキュリティ上のリスクを低減できる。第３の無線通信装置３００ａから許可する通知がない場合、ステップＳ７０６に戻り、第３の無線通信装置３００ｃは通信確立を待機する状態となる。この場合、第３の無線通信装置３００ｃのＵＩに「待ち状態」を示すアイコンを表示するようにしてもよい。これによって、第３の無線通信装置３００ｃのユーザに、第１の無線通信装置１００との間で通信が未だ確立されていないことを通知できる。一方、第３の無線通信装置３００ａのユーザが、第３の無線通信装置３００ｃに対する通信の許可が要求されていることを認識していない可能性もあるため、ステータスバーなどに「通信の許可待ち」を示すアイコンを表示してもよい。
【００７４】
ステップＳ７０８では、第２の無線通信装置２００の第２の接続処理部２００４は、第３の無線通信装置３００ａから、第３の無線通信装置３００ｃの通信を許可する通知がある場合、第３の無線通信装置３００ｃとの間で通信を確立する。具体的には、図４に示されるシーケンスにおいて、ステップＳ３以降の処理を適用できる。つまり、第２の無線通信装置２００から第３の無線通信装置３００ｃにセットアップ情報が送信される。
【００７５】
ステップＳ７１０では、第２の無線通信装置２００の第２の通信制御部２００８は、第３の無線通信装置３００ｃとの間で通信を確立した後、通信を確立したことを、第２の送受信部２００２から第３の無線通信装置３００ｃに通知する。
【００７６】
例えば、第３の無線通信装置３００ｃが壁やパーティションで隠されて視認することができない場合または悪意を持ったユーザによって使用されている場合に、該第３の無線通信装置３００ｃのユーザが第２の無線通信装置２００との間で通信の確立を試みても、マスタデバイスによる許可が得られないことが想定されるため、通信を確立できない。これによって、第３の無線通信装置３００ｃとの間の誤接続を防止し、無線通信システムのセキュリティを向上させることができる。
【００７７】
＜無線通信システムの動作（その２）＞
図８は、無線通信システムの動作（その２）を示す。図８には、図１に示す無線通信システムにおいて、第２の無線通信エリア２５０に位置する第３の無線通信装置３００ａから第３の無線通信装置３００ｂに通信を許可する権限を譲渡することによって移行する処理を示す。
【００７８】
ステップＳ８０２では、第３の無線通信装置３００ａの認可移行部３０１２に通信を許可する権限の譲渡先が指定される。ここでは、ユーザは、第３の無線通信装置３００ａの認可移行部３０１２に第３の無線通信装置３００ｂを譲渡先として指定する。第３の無線通信装置３００ａの認可移行部３０１２は、第２の送受信部３００２から第３の無線通信装置３００ｂに通信を許可する権限の譲渡先に指定されたことを通知する。この通知は、第２の無線通信装置２００を経由して第３の無線通信装置３００ｂに送信される。
【００７９】
ステップＳ８０４では、第３の無線通信装置３００ａによって送信される通知は第３の無線通信装置３００ｂの認可移行部３０１２に入力され、第３の無線通信装置３００ｂのＵＩには通信を許可する権限の譲渡を許諾するか否かを選択する画面が表示される。第３の無線通信装置３００ｂのユーザは、そのＵＩによって、通信を許可する権限の譲渡を許諾するか否かを選択できる。
【００８０】
ステップＳ８０６では、第３の無線通信装置３００ｂの認可移行部３０１２に対して、通信を許可する権限の譲渡を許諾することが指定された場合、第３の無線通信装置３００ｂの認可移行部３０１２は、第２の送受信部３００２から第３の無線通信装置３００ａに通信を許可する権限の譲渡を許諾することを通知する。この通知は、第２の無線通信装置２００を経由して第３の無線通信装置３００ａに送信される。第３の無線通信装置３００ａの認可移行部３０１２は、第３の無線通信装置３００ｂからの通信を許可する権限の譲渡を許諾する通知により、第３の無線通信装置３００ｂに通信を許可する権限を譲渡する。具体的には、第３の無線通信装置３００ａの認可移行部３０１２は、第２の無線通信装置２００に第３の無線通信装置管理ＤＢ２０１６の第３の無線通信装置管理テーブルの通信許可権限の有無の覧を変更するように依頼する。第２の無線通信装置２００の第２の通信制御部２００８は、第３の無線通信装置管理テーブルを変更した後、第２の無線通信エリア２５０に位置する第３の無線通信装置３００の全てに対して、変更した第３の無線通信装置管理テーブルを送信する。これによって、第３の無線通信装置３００ｃがマスタデバイスとして機能することを通知できる。
【００８１】
ステップＳ８０８では、第３の無線通信装置３００ｂの認可移行部３０１２に対して、通信を許可する権限の譲渡を許諾することが指定されない場合、第３の無線通信装置３００ｂの認可移行部３０１２は、第２の送受信部３００２から第３の無線通信装置３００ａに通信を許可する権限の譲渡を許諾しないことを通知し、ステップＳ８０２に戻る。これによって、第３の無線通信装置３００ａのユーザは、通信を許可する権限の譲渡先として、他の第３の無線通信装置を指定できる。
【００８２】
＜無線通信システムの動作（その３）＞
図９は、無線通信システムの動作（その３）を示す。図９には、図１に示す無線通信システムにおいて、第２の無線通信エリア２５０に位置し、且つ第１の無線通信装置１００との間で通信を行っている第３の無線通信装置３００ａが第２の無線通信エリア２５０の外に移動する場合など、第１の無線通信装置１００との間の通信を維持できないことによって切断する動作を示す。第１の無線通信装置１００との間の通信を切断する場合、第３の無線通信装置３００ａはマスタデバイスであるため、通信を許可する権限を譲渡することによって移行した後に切断する。ここでは、第３の無線通信装置３００ａから第３の無線通信装置３００ｂに通信を許可する権限を移行する場合を示す。
【００８３】
ステップＳ９０２では、第３の無線通信装置３００ａが第２の無線通信エリア２５０の外に移動することによって、第１の切断処理部３０２０は、第１の無線通信装置１００との間の通信を切断する処理を開始する。
【００８４】
ステップＳ９０４−Ｓ９１０の処理は、図８のステップＳ８０２−Ｓ８０８を適用できる。
【００８５】
ステップＳ９１２では、第３の無線通信装置３００ａの第１の切断処理部３０２０は、第１の無線通信装置１００との間の通信を切断する。具体的には、図５に示されるシーケンスにおいて、ステップＳ１３以降の処理を適用できる。つまり、第２の無線通信装置２００から第３の無線通信装置３００ａに切断指示が送信される。
【００８６】
これによって、マスタデバイスであった第３の無線通信装置３００ａと第１の無線通信装置１００との間の通信が切断された場合でも、第３の無線通信装置３００ｂに通信を許可する権限が移行されるため、無線通信システムにおけるセキュリティを維持できる。
【００８７】
＜無線通信システムの動作（その４）＞
図１０は、無線通信システムの動作（その４）を示す。図１０には、図１に示す無線通信システムにおいて、第２の無線通信エリア２５０に位置し、且つ第１の無線通信装置１００と通信を行っている第３の無線通信装置３００ａが第２の無線通信エリア２５０の外に移動する場合など、第１の無線通信装置１００との間の通信を維持できないことによって切断する動作を示す。第１の無線通信装置１００との間の通信を切断する場合、第３の無線通信装置３００ａはマスタデバイスであるため、通信を許可する権限を譲渡することによって移行する。ここでは、第３の無線通信装置３００ａから通信を許可する権限を移行する先の第３の無線通信装置が自動的に選択される。
【００８８】
ステップＳ１００２は、図９のステップＳ９０２を適用できる。
【００８９】
ステップＳ１００４では、第３の無線通信装置３００ａの認可移行部３０１２は、記憶部３０２４の第３の無線通信管理ＤＢ３０２６に格納された第３の無線通信装置管理テーブルを参照し、通信を許可する権限の移行先を自動的に選択する。例えば、認可移行部３０１２は、第２の無線通信エリア２５０に位置し、且つ第１の無線通信装置１００と通信している第３の無線通信装置から通信時間が長い順に第３の無線通信装置を選択してもよいし、ランダムに選択してもよい。通信時間が長い第３の無線通信装置は、他の第３の無線通信装置の状況を把握でき、信頼性も高いと想定される。このため、通信時間が長い第３の無線通信装置に通信を許可する権限を移行しても、移行前と同様のセキュリティレベルを維持できると想定される。
【００９０】
ステップＳ１００６−Ｓ１０１２は、図９のステップＳ９０６−９１２を適用できる。ここで、ステップＳ１００６において通信を許可する権限の移行が許諾されなかった場合、ステップＳ１０１０の処理の後、Ｓ１００２に戻り、ステップＳ１００４の処理が再度行われるが、ステップＳ１００４では、既に選択した第３の無線通信装置とは異なる第３の無線通信装置が選択される。
【００９１】
これによって、マスタデバイスであった第３の無線通信装置３００ａと第１の無線通信装置１００との間の通信が切断された場合でも、通信を許可する権限が自動的に第３の無線通信装置３００ａとは異なる他の第３の無線通信装置に移行されるため、ユーザは通信を許可する権限の移行先を意識する必要がない。
【００９２】
＜無線通信システムの動作（その５）＞
図１１は、無線通信システムの動作（その５）を示す。図１１には、図１に示す無線通信システムにおいて、第２の無線通信エリア２５０に位置し、且つ第１の無線通信装置１００との間で通信を行っている第３の無線通信装置３００ａが第２の無線通信エリア２５０の外に移動する場合など、第１の無線通信装置１００との間の通信を維持できないことによって切断する動作を示す。
【００９３】
第３の無線通信装置３００ａには、第１の無線通信装置１００との間の通信を切断する際に、通信を許可する権限を自動的に移行するか、第１の無線通信装置１００と間で通信を確立している全ての第３の無線通信装置についてその通信を切断するかが設定されている。
【００９４】
ステップＳ１１０２では、第３の無線通信装置３００ａの認可移行部３０１２は、第１の無線通信装置１００との間の通信を切断する際に通信する権限を移行するように設定されているか否かを判断する。
【００９５】
ステップＳ１１０４では、第１の無線通信装置１００との間の通信を切断する際に通信する権限を移行するように設定されていない場合、第３の無線通信装置３００ａが第２の無線通信エリア２５０の外に移動することによって、第１の切断処理部３０２０は、第１の無線通信装置１００との間の通信を切断する処理を開始する。
【００９６】
ステップＳ１１０６では、第３の無線通信装置３００ａの第１の切断処理部３０２０は、第１の無線通信装置１００に、全ての第３の無線通信装置との間の通信を切断するように指示する。第１の無線通信装置１００の第１の切断処理部１００６は、第３の無線通信装置３００ａによる指示にしたがって全ての第３の無線通信装置との間の通信を切断する。
【００９７】
ステップＳ１１０８では、第１の無線通信装置１００との間の通信を切断する際に通信する権限を移行するように設定されている場合、第３の無線通信装置３００ａが第２の無線通信エリア２５０の外に移動することによって、第１の切断処理部３０２０は、第１の無線通信装置１００との間の通信を切断する処理を開始する。ステップＳ１１１０−Ｓ１１１８は、図１０のステップＳ１００４−Ｓ１０１２を適用できる。
【００９８】
第３の無線通信装置に、通信を許可する権限を有している状態で、且つ第１の無線通信装置１００との間の通信を切断する場合に、通信を許可する権限を移行するか第１の無線通信装置１００との間で通信を確立している全ての第３の無線通信装置の通信を切断するかを設定する。これによって、状況に応じてセキュリティレベルを変更できるとともに、無線通信システムのセキュリティレベルを維持できる。
【００９９】
本発明は特定の実施例、変形例を参照しながら説明されてきたが、各実施例、変形例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアでまたはそれらの組み合わせで実現されてもよい。本発明は上記実施例に限定されず、本発明の精神から逸脱することなく、様々な変形例、修正例、代替例、置換例等が包含される。
【符号の説明】
【０１００】
１００  第１の無線通信装置
１５０  第１の無線通信エリア
２００  第２の無線通信装置
２５０  第２の無線通信エリア
３００ａ、３００ｂ、３００ｃ  第３の無線通信装置
１００２  第１の送受信部
１００４  第１の接続処理部
１００６  第１の切断処理部
１００８  第１の通信制御部
２００２  第２の送受信部
２００４  第２の接続処理部
２００６  第２の切断処理部
２００８  第２の通信制御部
２０１０  記憶・読出処理部
２０１２  記憶部
２０１４  セットアップ情報管理ＤＢ
２０１６  第３の無線通信装置管理ＤＢ
３００２  第２の送受信部
３００４  通信範囲判断部
３００６  第２の接続処理部
３００８  セットアップ情報取得部
３０１０  第２の切断処理部
３０１２  認可移行部
３０１４  認可処理部
３０１６  第１の送受信部
３０１８  第１の接続処理部
３０２０  第１の切断処理部
３０２２  記憶・読出処理部
３０２４  記憶部
３０２６  第３の無線通信装置管理ＤＢ
【先行技術文献】
【特許文献】
【０１０１】
【特許文献１】特開２０１３−２４２９２５号公報
【図１】
2016158102.tif 000005
【図２】
2016158102.tif 000006
【図３】
2016158102.tif 000007
【図４】
2016158102.tif 000008
【図５】
2016158102.tif 000009
【図６】
2016158102.tif 000010
【図７】
2016158102.tif 000011
【図８】
2016158102.tif 000012
【図９】
2016158102.tif 000013
【図１０】
2016158102.tif 000014
【図１１】
2016158102.tif 000015